(57)【要約】【課題】  相手コネクタの挿入時にコネクタ本体が揺動及び移動しても、後端が動かない構造のフローティング付き同軸コネクタを得る。【解決手段】  筒状外部シェル２内で揺動及び移動自在なコネクタ本体８は、筒状内部シェル９内に絶縁体１０を介して配置した中心コンタクト１１を、絶縁体１０に固定した接続コンタクト部１４と、その後部に電気的につながっていてスライド自在で且つ後端部がコネクタ本体８の後端部の外に突出しているスライドコンタクト１５と、このスライドコンタクト１５を押し出す後ろ向き付勢ばね１６とを備えた構造とする。コネクタ本体８はフローティングばね２０でフローティング可能に支持する。筒状外部シェル２はその底部４ａの中心の貫通孔７に後部絶縁体２１を介して後部中心コンタクト２２を貫通状態で固定する。後部中心コンタクト２２の前部には後部絶縁体２１の前面に露出する接触受け部２２ａを設け、この接触受け部２２ａにスライドコンタクト１５の後端面を突き当てる。【選択図】    図１
2007087682.tif 000002
【特許請求の範囲】
【請求項１】
導体よりなる筒状外部シェル内で、コネクタ本体が揺動及び移動自在となっているフローティング付き同軸コネクタであって、
前記コネクタ本体は導体よりなる筒状内部シェル内に絶縁体を介して同心状に配置されている中心コンタクトが、先端側で相手コネクタの中心コンタクトに接続される構造を有して前記絶縁体に固定されている接続コンタクト部と、該接続コンタクト部の後部に電気的につながっていて前記絶縁体に対してその中心軸線方向にスライド自在で且つ後端部が前記筒状内部シェルの後端部の外に突出しているスライドコンタクトと、該スライドコンタクトを後部側に押し出す方向に付勢している後ろ向き付勢ばねとを備えて構成され、
前記コネクタ本体は前記筒状外部シェル内で揺動及び移動自在となるようにしてフローティングばねでフローティング可能に且つ前記筒状内部シェルと前記筒状外部シェルとが電気的接続されるように支持され、
前記筒状外部シェルはその後部に底部を有し、該底部の中心に貫通孔があけられ、
該貫通孔の中心に後部絶縁体を介して後部中心コンタクトが貫通状態で固定され、該後部中心コンタクトの前部には前記後部絶縁体の前面に露出する接触受け部が設けられ、該接触受け部に前記スライドコンタクトの後端面が前記後ろ向き付勢ばねの付勢で突き当てられて電気的に接続されていることを特徴とするフローティング付き同軸コネクタ。
【請求項２】
前記筒状内部シェルの後部にはこれに電気的に接触してスライド自在に導体よりなる筒状のスライド継ぎ手が嵌められ、該スライド継ぎ手の後端には円弧状凸面が環状をなして円弧状環状凸部が設けられて、前記筒状外部シェルにおける前記底部の内面には前記貫通孔に対して同心状配置で該底部に電気的につながって環状固定継ぎ手が配置され、該環状固定継ぎ手の前記円弧状環状凸部に対向する面には前記貫通孔に対して同心状配置で円弧状凹面が環状をなす円弧状環状凹部が設けられ、前記スライド継ぎ手は継ぎ手付勢ばねで前記円弧状環状凸部が前記円弧状環状凹部に接触して電気的に接続されるように付勢されていることを特徴とする請求項１に記載のフローティング付き同軸コネクタ。
【請求項３】
前記スライド継ぎ手が嵌まる前記筒状内部シェルの後部は、それより前の部分の外径より小径の小径部になっていることを特徴とする請求項２に記載のフローティング付き同軸コネクタ。
【請求項４】
前記筒状外部シェルの後部には該筒状外部シェルにつながる方向変換外部シェルと前記後部中心コンタクトにつながる方向変換中心コンタクトとが、前記筒状外部シェルと前記後部中心コンタクトに対して向きを９０°変えて一体に設けられ、前記方向変換外部シェルと前記方向変換中心コンタクトの端部には端子部が設けられていることを特徴とする請求項１または２に記載のフローティング付き同軸コネクタ。
【発明の詳細な説明】
【技術分野】
【０００１】
本発明は、パネル等の支持体に固定される筒状外部シェル内で、コネクタ本体が揺動及び移動自在となっているフローティング付き同軸コネクタに関するものである。
【背景技術】
【０００２】
フローティング付き同軸コネクタは、パネルやシャーシ等の支持体に取り付けられるレセプタクルコネクタの一種で、相手コネクタとの位置合わせを容易にするため、筒状外部シェル内でコネクタ本体を揺動及び移動自在としたものである。
【０００３】
従来のこの種のフローティング付き同軸コネクタは、パネル等の支持体に固定された筒状外部シェル内で、コネクタ本体が揺動及び移動自在となっており、このコネクタ本体の後部には同軸ケーブルが接続される構造になっていた（例えば、特許文献１参照。）
このようなフローティング付き同軸コネクタは、相手コネクタの挿入方向に合わせて筒状外部シェル内で、コネクタ本体が揺動及び移動し、コネクタ本体に相手コネクタを接続することができる。
【特許文献１】特許第３０３５５４１号公報（図１）
【発明の開示】
【発明が解決しようとする課題】
【０００４】
しかしながら、このような従来のフローティング付き同軸コネクタでは、相手コネクタの挿入時にコネクタ本体が揺動及び移動すると、このコネクタ本体の後部に一体に接続されている同軸ケーブルも一緒に揺動及び移動する問題点があった。このため、例えばパネルやシャーシ等の支持体が小型化されていると、同軸ケーブルの移動スペースの確保が困難になることになる。また、同軸ケーブルが移動すると、該同軸ケーブルの近くに存在する電子機器や電子素子を場合によっては損傷させるおそれがある。
【０００５】
本発明の目的は、相手コネクタの挿入時にコネクタ本体が揺動及び移動しても、後端が動かない構造のフローティング付き同軸コネクタを得ることにある。
【０００６】
本発明の他の目的は、コネクタ本体の揺動及び移動に左右されずにその筒状内部シェルの後部からの電磁波漏れを防止できる構造のフローティング付き同軸コネクタを得ることにある。
【０００７】
本発明の他の目的は、コネクタ本体の後部の小径化を図れる構造のフローティング付き同軸コネクタを得ることにある。
【０００８】
本発明の他の目的は、接続入口と出口の向きを９０°変えことができる構造のフローティング付き同軸コネクタを得ることにある。
【課題を解決するための手段】
【０００９】
上記の目的を達成する本発明の構成を説明すると、次のとおりである。
【００１０】
請求項１に記載の発明は、導体よりなる筒状外部シェル内で、コネクタ本体が揺動及び移動自在となっているフローティング付き同軸コネクタであって、
前記コネクタ本体は導体よりなる筒状内部シェル内に絶縁体を介して同心状に配置されている中心コンタクトが、先端側で相手コネクタの中心コンタクトに接続される構造を有して前記絶縁体に固定されている接続コンタクト部と、該接続コンタクト部の後部に電気的につながっていて前記絶縁体に対してその中心軸線方向にスライド自在で且つ後端部が前記筒状内部シェルの後端部の外に突出しているスライドコンタクトと、該スライドコンタクトを後部側に押し出す方向に付勢している後ろ向き付勢ばねとを備えて構成され、
前記コネクタ本体は前記筒状外部シェル内で揺動及び移動自在となるようにしてフローティングばねでフローティング可能に且つ前記筒状内部シェルと前記筒状外部シェルとが電気的接続されるように支持され、
前記筒状外部シェルはその後部に底部を有し、該底部の中心に貫通孔があけられ、
該貫通孔の中心に後部絶縁体を介して後部中心コンタクトが貫通状態で固定され、該後部中心コンタクトの前部には前記後部絶縁体の前面に露出する接触受け部が設けられ、該接触受け部に前記スライドコンタクトの後端面が前記後ろ向き付勢ばねの付勢で突き当てられて電気的に接続されていることを特徴とする。
【００１１】
請求項２に記載の発明は、請求項１において、前記筒状内部シェルの後部にはこれに電気的に接触してスライド自在に導体よりなる筒状のスライド継ぎ手が嵌められ、該スライド継ぎ手の後端には円弧状凸面が環状をなして円弧状環状凸部が設けられて、前記筒状外部シェルに設けられている前記底部の内面には前記貫通孔に対して同心状配置で該底部に電気的につながって環状固定継ぎ手が配置され、該環状固定継ぎ手の前記円弧状環状凸部に対向する面には前記貫通孔に対して同心状配置で円弧状凹面が環状をなす円弧状環状凹部が設けられ、前記スライド継ぎ手は継ぎ手付勢ばねで前記円弧状環状凸部が前記円弧状環状凹部に接触して電気的に接続されるように付勢されていることを特徴とする。
【００１２】
請求項３に記載の発明は、請求項２において、前記スライド継ぎ手が嵌まる前記筒状内部シェルの後部は、それより前の部分の外径より小径の小径部になっていることを特徴とする。
【００１３】
請求項４に記載の発明は、請求項１または２において、前記筒状外部シェルの後部には該筒状外部シェルにつながる方向変換外部シェルと前記後部中心コンタクトにつながる方向変換中心コンタクトとが、前記筒状外部シェルと前記後部中心コンタクトに対して向きを９０°変えて一体に設けられ、前記方向変換外部シェルと前記方向変換中心コンタクトの端部には端子部が設けられていることを特徴とする。
【発明の効果】
【００１４】
本発明に係るフローティング付き同軸コネクタでは、筒状外部シェル内に揺動及び移動自在に収容したコネクタ本体の後部を筒状外部シェルの底部から切り離し、該筒状外部シェルの底部の貫通孔内に後部絶縁体を介して後部中心コンタクトを貫通状態で固定し、該後部中心コンタクトの前部には後部絶縁体の前面に接触受け部を設け、該接触受け部にコネクタ本体のスライドコンタクトの後端面を突き当てて電気的に接続したので、コネクタ本体に対する相手コネクタの挿入時に該コネクタ本体が揺動及び移動しても、後端が動かない利点がある。このため後端に同軸ケーブルが接続されていても、該同軸ケーブルの移動スペースの確保が不要になり、また、該同軸ケーブルの近くに存在する電子機器や電子素子を損傷させることもない。また、コネクタ本体の中心コンタクトを、先端側で相手コネクタの中心コンタクトに接続される構造を有して絶縁体に固定している接続コンタクト部と、該接続コンタクト部の後部に電気的につながっていて絶縁体に対してその中心軸線方向にスライド自在で且つ後端部が筒状内部シェルの後端部の外に突出しているスライドコンタクトと、該スライドコンタクトを後部側に押し出す方向に付勢している後ろ向き付勢ばねとを備えて構成されているので、該コネクタ本体が揺動及び移動しても、スライドコンタクトの後部中心コンタクトの接触受け部に対する電気的接続を確実に維持することができる。
【００１５】
また、筒状内部シェルの後部にはこれに電気的に接触してスライド自在に導体よりなる筒状のスライド継ぎ手を嵌め、該スライド継ぎ手の後端には円弧状凸面が環状をなして円弧状環状凸部を設け、筒状外部シェルに設けられている底部の内面には貫通孔に対して同心状配置で該底部に電気的につながって環状固定継ぎ手を配置し、該環状固定継ぎ手の円弧状環状凸部に対向する面には貫通孔に対して同心状配置で円弧状凹面が環状をなす円弧状環状凹部を設け、スライド継ぎ手を継ぎ手付勢ばねでその円弧状環状凸部が環状固定継ぎ手の円弧状環状凹部に接触して電気的に接続されるようなっていると、コネクタ本体が揺動及び移動しても、コネクタ本体の筒状外部シェルの後部と筒状外部シェルの底部との電気的接続が維持できると共に筒状外部シェルの後部から外に出たスライド継ぎ手の外周を筒状に包囲して電磁波の漏れを防止することができる。特に、筒状内部シェルの後部にはこれに電気的に接触してスライド自在に筒状のスライド継ぎ手を嵌めると、コネクタ本体の軸心方向の移動時にスライド継ぎ手の移動に対応してスライドして電気的接続状態を維持することができる。また、スライド継ぎ手の円弧状環状凸部を環状固定継ぎ手の円弧状環状凹部に接触させると、コネクタ本体の揺動時にこれら円弧状環状凸部と円弧状環状凹部が接触状態を維持して滑り、即ち電気的接触状態を維持して滑り、コネクタ本体の揺動に対応することができる。
【００１６】
また、スライド継ぎ手が嵌まる筒状内部シェルの後部を、それより前の部分の外径より小径の小径部にすると、スライド継ぎ手と環状固定継ぎ手とを小径化することができる。また、後部に接続する同軸ケーブルの小径化を図ることができる。
【００１７】
さらに、筒状外部シェルの後部には該筒状外部シェルにつながる方向変換外部シェルと後部中心コンタクトにつながる方向変換中心コンタクトとを、筒状外部シェルと後部中心コンタクトに対して向きを９０°変えて一体に設けると、このフローティング付き同軸コネクタをその相手コネクタ接続方向に対して向きを９０°変えて取り付け相手に取り付けることができる。
【発明を実施するための最良の形態】
【００１８】
以下本発明に係るフローティング付き同軸コネクタを実施するための最良の形態における第１例を図１及び図２（Ａ）（Ｂ）を参照して詳細に説明する。図１は本例のフローティング付き同軸コネクタの縦断面図とこれに接続する相手コネクタの要部縦断側面図、図２（Ａ）はフローティングばねの斜視図、図２（Ｂ）は図２（Ａ）の縦断面図である。
【００１９】
図１に示すように、本例のフローティング付き同軸コネクタ１は、導体よりなる筒状外部シェル２を有する。筒状外部シェル２は、筒状をなす前部シェル部３と有底筒状をなす後部シェル部４とで構成されている。前部シェル部３の外周には、接続フランジ５が一体に設けられている。接続フランジ５はパネルやシャーシ等の支持体に固定されるようになっている。筒状外部シェル２の内部は、軸心方向にコネクタ本体収容室６が設けられている。このコネクタ本体収容室６の前部はテーパ孔部６ａとなっており、中間部は内径が大径化されてフローティングばね収容室６ｂとなっている。有底筒状の後部シェル部４の後部は底部４ａで塞がれている。底部４ａの中心には、貫通孔７が設けられている。後部シェル部４の前部外周にはフランジ部４ｂが設けられ、このフランジ部４ｂはフローティングばね収容室６ｂ内で前部シェル部３の内周に嵌合されて固定されている。
【００２０】
筒状外部シェル２内には、コネクタ本体８が揺動及び移動自在に収容されている。このためコネクタ本体８の外径は筒状外部シェル２の内径より小さく、コネクタ本体８の軸方向寸法はコネクタ本体収容室６の軸方向寸法より短く形成されている。コネクタ本体８は、導体よりなる筒状内部シェル９内に絶縁体１０を介して同心状に中心コンタクト１１が配置されて構成されている。
【００２１】
筒状内部シェル９はその先端部９ａの周方向に等間隔ですり割り９ｂが設けられ、相手コネクタ１２の先端部が嵌め合わされるようになっている。筒状内部シェル９の中間部外周にはフランジ部９ｃが設けられ、筒状内部シェル９の後部は小径部９ｄになっている。
【００２２】
筒状内部シェル９のフランジ９ｃは、フローティングばね収容室６ｂ内に収容されている。このフランジ９ｃは、フローティングばね収容室６ｂ内の段部６ｂｄに当接されている。
【００２３】
中心コンタクト１１は、先端側で相手コネクタ１２の中心コンタクト１３に接続される構造を有して絶縁体１０に固定されている接続コンタクト部１４と、該接続コンタクト部１４の後部に電気的につながっていて絶縁体１０に対してその中心軸線方向にスライド自在で且つ後端部が筒状内部シェル９の後端部の外に突出しているスライドコンタクト１５と、該スライドコンタクト１５を後部側に押し出す方向に付勢している後ろ向き付勢ばね１６とを備えて構成されている。接続コンタクト部１４の先端は筒状部１４ａになっていて、この筒状部１４ａには周方向に等間隔ですり割り１４ｂが入っていて、相手コネクタ１２の中心コンタクト１３が嵌められて密着するようになっている。接続コンタクト部１４の後部も筒状部１４ｃになっていて、この筒状部１４ｃ内にスライドコンタクト１５の基部の大径部１５ａがスライド自在に嵌められている。スライドコンタクト１５は筒状部１４ｃ内に収容された後ろ向き付勢ばね１６で後ろ向きに付勢されている。筒状部１４ｃからのスライドコンタクト１５の大径部１５ａが離脱しないように、筒状部１４ｃの後端が内向きに曲げられてストッパー部１４ｄが設けられている。
【００２４】
接続コンタクト部１４の先端の筒状部１４ａの外周に存在する絶縁体１０の外周は、外径が後ろの部分より小径の小径部１０ａとなっている。この小径部１０ａの外周に、相手コネクタ１２の中心コンタクト１３の外周を支持する絶縁体１７の先端の凹部１７ａが嵌合されるようになっている。相手コネクタ１２で凹部１７ａの外周の絶縁体１７を包囲する外部シェル１８は、このフローティング付き同軸コネクタ１の筒状内部シェル９における筒状の先端部９ａ内周に嵌合されて電気的に接続されるようになっている。外部シェル１８の外周には、接続フランジ１９が突設されていて相手方のパネルやシャーシ等の支持体に固定されるようになっている。
【００２５】
本例のフローティング付き同軸コネクタ１のコネクタ本体８は、筒状外部シェル２内で揺動及び移動自在となるようにしてフローティングばね２０でフローティング可能に且つ筒状内部シェル９と筒状外部シェル２とが電気的接続されるように支持されている。
【００２６】
フローティングばね２０は、図２（Ａ）（Ｂ）に示すように、リング板２０ａと、該リング板２０ａの外周に周方向に所定間隔で連設されて該外周に沿って湾曲して該リング板２０ａから傾斜状態で立ち上がる複数本（本例では、３本）の円弧状ばね片２０ｂと、各円弧状ばね片２０ｂの先端に設けられたリング板２０ａと平行な当接部２０ｃとで構成されている。リング板２０ａの内径は、筒状内部シェル９の外径より若干大きく形成されている。このようなフローティングばね２０は、リング板２０ａを向かい合わせて２個、筒状内部シェル９の外に嵌められている。これらフローティングばね２０は、一方のフローティングばね２０の各円弧状ばね片２０ｂの先端の当接部２０ｃがフローティングばね収容室６ｂ内でフランジ９ｃに当接されている。他方のフローティングばね２０の各円弧状ばね片２０ｂの先端の当接部２０ｃが後部シェル部４の底部４ａ内面に当接されている。
これらフローティングばね２０によりコネクタ本体８は前方に付勢され、相手コネクタ１２の接続持に前後方法に移動自在になっており、またこの前後方向に対して交差する方向に 揺動自在になっている。
【００２７】
筒状外部シェル２の底部４ａ中心に設けられている貫通孔７の中心には、後部絶縁体２１を介して後部中心コンタクト２２が貫通状態で固定されている。該後部中心コンタクト２２の後部は後部絶縁体２１の後方に突出され、プリント配線基板２８に備えられた接続用パターンに電気接続されるようになっている。該後部中心コンタクト２２の前部には後部絶縁体２１の前面に露出する接触受け部２２ａが設けられ、該接触受け部２２ａにスライドコンタクト１５の後端面が後ろ向き付勢ばね１６の付勢で突き当てられて電気的に接続されている。
【００２８】
筒状内部シェル９の後部にはこれに電気的に接触してスライド自在に導体よりなる筒状のスライド継ぎ手２３が嵌められている。該スライド継ぎ手２３の後端には、円弧状凸面が環状をなしている円弧状環状凸部２３ａが設けられている。筒状外部シェル２に設けられている底部４ａの内面には、貫通孔７に対して同心状配置で該底部４ａに電気的につながって環状固定継ぎ手２４が配置されている。該環状固定継ぎ手２４の円弧状環状凸部２３ａに対向する面には、貫通孔７に対して同心状配置で円弧状凹面が環状をなす円弧状環状凹部２４ａが設けられている。スライド継ぎ手２３は、継ぎ手付勢ばね２５で円弧状環状凸部２３ａが円弧状環状凹部２４ａに接触して電気的に接続されるように付勢されている。継ぎ手付勢ばね２５は、筒状内部シェル９の段部とスライド継ぎ手２３の円弧状環状凸部２３ａとの間に配置されている。
【００２９】
このようなフローティング付き同軸コネクタ１のコネクタ本体８が相手コネクタ１２の接続時における揺動及び移動自在な動作について図３乃至図５を参照して説明する。
【００３０】
図３はフローティング付き同軸コネクタ１のコネクタ本体８に対して相手コネクタ１２の真正面に対向していて接続される場合のコネクタ本体８の動きを示したものである。この場合には、相手コネクタ１２によりコネクタ本体８が真後ろに押されるので、フローティングばね２０が圧縮されてコネクタ本体８がｍだけ後退、即ち移動する。この状態では、絶縁体１０の後退により後ろ向き付勢ばね１６が圧縮され、スライドコンタクト１５の大径部１５ａが接続コンタクト部１４の筒状部１４ｃ内に後退して中心コンタクト１１の長さが短くなり、コネクタ本体８の後退に対応する。
【００３１】
図４はフローティング付き同軸コネクタ１のコネクタ本体８の中心軸線に対して相手コネクタ１２の中心軸線が寸法ｄだけ偏心している場合、即ち相手コネクタ１２が相手方のパネルやシャーシ等の支持体に寸法ｄだけ偏心して固定されている場合に、接続されるコネクタ本体８の動きを示したものである。この場合には、相手コネクタ１２の接続によりコネクタ本体８が筒状外部シェル２に対して偏心移動して接続される。
【００３２】
図５はフローティング付き同軸コネクタ１のコネクタ本体８の中心軸線に対して相手コネクタ１２の中心軸線がθ°だけ傾斜した状態で接続される場合のコネクタ本体８の動きを示したものである。この場合には、コネクタ本体８に対して相手コネクタ１２が接続されると、コネクタ本体８がθ°だけ傾斜して、即ちコネクタ本体８が揺動して接続される。
【００３３】
このようなフローティング付き同軸コネクタ１では、筒状外部シェル２内に揺動及び移動自在に収容したコネクタ本体８の後部を筒状外部シェル２の底部４ａから切り離し、該筒状外部シェル２の底部４ａの貫通孔７内に後部絶縁体２１を介して後部中心コンタクト２２を貫通状態で固定し、該後部中心コンタクト２２の前部には後部絶縁体２１の前面に接触受け部２２ａを設け、該接触受け部２２ａにコネクタ本体８のスライドコンタクト１５の後端面を突き当てて電気的に接続したので、コネクタ本体８に対する相手コネクタ１２の挿入時に該コネクタ本体８が揺動及び移動しても、後端が動かない利点がある。このため後端に固定配置の移動しないプリント基板２８が接続されていても影響を及ぼすことなくフローティング機能を発揮させることができる。
【００３４】
また、該同軸ケーブルの近くに存在する電子機器や電子素子を損傷させることもない。また、コネクタ本体８の中心コンタクト１１を、先端側で相手コネクタ１２の中心コンタクト１３に接続される構造を有して絶縁体１０に固定している接続コンタクト部１４と、該接続コンタクト部１４の後部に電気的につながっていて絶縁体１０に対してその中心軸線方向にスライド自在で且つ後端部が筒状内部シェル９の後端部の外に突出しているスライドコンタクト１５と、該スライドコンタクト１５を後部側に押し出す方向に付勢している後ろ向き付勢ばね１６とを備えて構成されているので、該コネクタ本体８が揺動及び移動しても、スライドコンタクト１５の後部中心コンタクト２２の接触受け部２２ａに対する電気的接続を確実に維持することができる。
【００３５】
また、筒状内部シェル９の後部にはこれに電気的に接触してスライド自在に導体よりなる筒状のスライド継ぎ手２３を嵌め、該スライド継ぎ手２３の後端には円弧状凸面が環状をなしている円弧状環状凸部２３ａを設け、筒状外部シェル２に設けられている底部４ａの内面には貫通孔７に対して同心状配置で該底部４ａに電気的につながって環状固定継ぎ手２４を配置し、該環状固定継ぎ手２４の円弧状環状凸部２３ａに対向する面には貫通孔７に対して同心状配置で円弧状凹面が環状をなす円弧状環状凹部２４ａを設け、スライド継ぎ手１５を継ぎ手付勢ばね１６でその円弧状環状凸部２３ａが環状固定継ぎ手２４の円弧状環状凹部２４ａに接触して電気的に接続されるようなっているので、コネクタ本体８が揺動及び移動しても、コネクタ本体８の筒状内部シェル９の後部と筒状外部シェル２の底部４ａとの電気的接続が維持できると共に筒状内部シェル９の後部から外に出たスライド継ぎ手１５の外周を筒状に包囲して電磁波の漏れを防止することができる。特に、筒状内部シェル９の後部にはこれに電気的に接触してスライド自在に筒状のスライド継ぎ手２３を嵌めているので、コネクタ本体８の軸心方向の移動時にスライド継ぎ手２３の移動に対応してスライドして電気的接続状態を維持することができる。また、スライド継ぎ手１５の円弧状環状凸部２３ａを環状固定継ぎ手２４の円弧状環状凹部２４ａに接触させているので、コネクタ本体８の揺動時にこれら円弧状環状凸部２３ａと円弧状環状凹部２４ａが接触状態を維持して滑り、即ち電気的接触状態を維持して滑り、コネクタ本体８の揺動に対応することができる。
【００３６】
また、スライド継ぎ手２３が嵌まる筒状内部シェル９の後部を、それより前の部分の外径より小径の小径部にしているので、スライド継ぎ手２３と環状固定継ぎ手２４とを小径化することができる。また、後部に接続する同軸ケーブルの小径化を図ることができる。
【００３７】
さらに、フローティングばね２０として板ばねを用いているので、その収容スペースを小型化することができる。また、フローティングばね２０が、筒状内部シェル９の外径より若干大きく形成されたリング板２０ａと、該リング板２０ａの外周に周方向に所定間隔で連設されて該外周に沿って湾曲して該リング板２０ａから傾斜状態で立ち上がる複数本円弧状ばね片２０ｂとを備えた構造になっていると、リング板２０ａで筒状内部シェル９内でのコネクタ本体８の位置決めを図ることができる。
【００３８】
図６及び図７は本発明に係るフローティング付き同軸コネクタを実施するための最良の形態における第２例を示したものである。図６は本例のフローティング付き同軸コネクタの縦断面図、図７は図６に示すフローティング付き同軸コネクタの後端部の底面図である。なお、前述した図１と対応する部分には、同一符号を付けて示している。
【００３９】
本例のフローティング付き同軸コネクタ１では、筒状外部シェル２の後部には該筒状外部シェル２につながる方向変換外部シェル２６と、後部中心コンタクト２２につながる方向変換中心コンタクト２７とを、筒状外部シェル２と後部中心コンタクト２２に対して向きを９０°変えて一体に設けられている。方向変換外部シェル２６は四角筒状をなしていて、その末端の４つの角部には４つの端子部２６ａが突設されている。
【００４０】
このような構造のフローティング付き同軸コネクタ１によれば、このフローティング付き同軸コネクタ１をその相手コネクタ接続方向に対して向きを９０°変えて取り付け相手に取り付けることができる。即ち、相手コネクタ１２の接続時に後部中心コンタクト２２が動かないので、方向変換中心コンタクト２７と端子部２６ａを固定した回路板２９等に接続することができる。
【００４１】
なお、フローティングばね２０の円弧状ばね片２０ｂの本数は３本に限定されるものではなく、適宜な本数でよい。また、フローティングばね２０は板ばねに限定されるものではなく、コイルばね等であってもよい。
【００４２】
図８は本発明に係るフローティング付き同軸コネクタを実施するための最良の形態における第３例を示したものである。なお、前述した図１と対応する部分には、同一符号を付けて示している。
【００４３】
本例のフローティング付き同軸コネクタ１では、外部シェル２を構成している後部シェル部４の後端に同軸ケーブル３０の外部導体（図示せず）に接触する筒状のアースシェル部３１が、後部中心コンタクト２２と同心配置となるように一体成型されており、前記後部中心コンタクト２２の後端側に同軸ケーブル３０の中心導体が差し込まれて導通される中心導体接続コンタクト部３２が一体成型されており、同軸ケーブル３０を、その外部導体を外皮の外側に折り返してアースシェル部３１内に挿入し、中心胴体を中心胴体コンタクト部３２内に挿入することによって、後部中心コンタクト２２に対して同軸ケーブル３０の中心導体が接続され、外部シェル２に該同軸ケーブルの外部導体が接続されるようになっている。
【００４４】
この例のフローティング付き同軸コネクタにあっても、コネクタ本体８に対する相手コネクタ１２の挿入時に該コネクタ本体８が揺動及び移動しても、後端が動かず、このため後端に固定配置の移動しない同軸ケーブル３０が接続されていても、該同軸ケーブルの移動スペースの確保が不要になる。
【図面の簡単な説明】
【００４５】
【図１】本発明に係るフローティング付き同軸コネクタを実施するための最良の形態における第１例のフローティング付き同軸コネクタの縦断面図とこれに接続する相手コネクタの要部縦断側面図である。
【図２】（Ａ）はフローティングばねの斜視図、（Ｂ）は（Ａ）の縦断面図である。
【図３】本例のフローティング付き同軸コネクタにおけるコネクタ本体の軸方向フローティング状態の縦断面図である。
【図４】本例のフローティング付き同軸コネクタにおけるコネクタ本体の径方向フローティング状態の縦断面図である。
【図５】本例のフローティング付き同軸コネクタにおけるコネクタ本体の傾斜方向フローティング状態の縦断面図である。
【図６】本発明に係るフローティング付き同軸コネクタを実施するための最良の形態における第２例のフローティング付き同軸コネクタの縦断面図とこれに接続する相手コネクタの要部縦断側面図である。
【図７】図６中のフローティング付き同軸コネクタ後端部の底面図である。
【図８】本発明に係るフローティング付き同軸コネクタを実施するための最良の形態における第３例のフローティング付き同軸コネクタの縦断面図とこれに接続する相手コネクタの要部縦断側面図である。
【符号の説明】
【００４６】
１  フローティング付き同軸コネクタ
２  筒状外部シェル
３  前部シェル部
４  後部シェル部
４ａ  底部
４ｂ  フランジ部
５  接続フランジ
６  コネクタ本体収容室
６ａ  テーパ孔部
６ｂ  フローティングばね収容室
７  貫通孔
８  コネクタ本体
９  筒状内部シェル
９ａ  先端部
９ｂ  すり割り
９ｃ  フランジ部
９ｄ  小径部
１０  絶縁体
１０ａ  小径部
１１  中心コンタクト
１２  相手コネクタ
１３  中心コンタクト
１４  接続コンタクト部
１４ａ  筒状部
１４ｂ  すり割り
１４ｃ  筒状部
１４ｄ  ストッパー部
１５  スライドコンタクト
１５ａ  大径部
１６  後ろ向き付勢ばね
１７  絶縁体
１７ａ  凹部
１８  外部シェル
１９  接続フランジ
２０  フローティングばね
２０ａ  リング板
２０ｂ  円弧状ばね片
２０ｃ  当接部
２１  後部絶縁体
２２  後部中心コンタクト
２２ａ  接触受け部
２３  スライド継ぎ手
２３ａ  円弧状環状凸部
２４  環状固定継ぎ手
２４ａ  円弧状環状凹部
２５  継ぎ手付勢ばね
２６  方向変換外部シェル
２６ａ  端子部
２７  方向変換中心コンタクト
２８  プリント配線基板
２９  回路板
３０  同軸ケーブル  
３１  アースシェル部
３２  中心導体接続コンタクト部
【図１】
2007087682.tif 000003
【図２】
2007087682.tif 000004
【図３】
2007087682.tif 000005
【図４】
2007087682.tif 000006
【図５】
2007087682.tif 000007
【図６】
2007087682.tif 000008
【図７】
2007087682.tif 000009
【図８】
2007087682.tif 000010